(57)【要約】【課題】映像演出フィルターとして機能する画像の与える演出効果が損なわれることを抑制可能な技術を提供する。【解決手段】表示装置は、表示装置の傾きを検出する傾き検出部と、第１画像に応じた第１画像情報と第２画像に応じた第２画像情報を記憶する記憶部と、第１画像を用いて第３画像を生成し第２画像を用いて第４画像を生成する画像生成部と、を含む。画像生成部は、  第５画像情報に基づく第５画像に第１画像を重畳させて第３画像を生成する場合、表示装置が傾いていない時には第５画像に第１画像を回転させずに重畳させ、表示装置が傾いている時には第５画像に第１画像の少なくとも一部を回転させて重畳させ、第５画像に第２画像を重畳させて第４画像を生成する場合、表示装置の傾きに関わらず、第５画像に第２画像を回転させずに重畳させる。【選択図】図１
2018120154.tif 000002
【特許請求の範囲】
【請求項１】
表示装置であって、
前記表示装置の傾きを検出する傾き検出部と、
第１画像に応じた第１画像情報と第２画像に応じた第２画像情報を記憶する記憶部と、
前記第１画像を用いて第３画像を生成し、前記第２画像を用いて第４画像を生成する画像生成部と、を含み、
前記画像生成部は、
第５画像情報に基づく第５画像に前記第１画像を重畳させて前記第３画像を生成する場合、前記表示装置が傾いていない時には前記第５画像に前記第１画像を回転させずに重畳させ、前記表示装置が傾いている時には前記第５画像に前記第１画像の少なくとも一部を回転させて重畳させ、
前記第５画像に前記第２画像を重畳させて前記第４画像を生成する場合、前記表示装置の傾きに関わらず、前記第５画像に前記第２画像を回転させずに重畳させることを特徴とする表示装置。
【請求項２】
前記第１画像情報には、前記第１画像に向きがある旨の第１情報が付加されており、
前記第２画像情報には、前記第２画像に向きがない旨の第２情報が付加されており、
前記画像生成部は、前記第１情報と前記傾き検出部の検出結果に基づいて前記第１画像を回転させるか否かを決定し、前記第２情報に基づいて前記第２画像を回転させるか否かを決定することを特徴とする請求項１に記載の表示装置。
【請求項３】
前記第１情報を前記第１画像情報に付加し、前記第２情報を前記第２画像情報に付加する第１付加部をさらに含むことを特徴とする請求項２に記載の表示装置。
【請求項４】
前記第１画像には、閉じた第１線が表されており、
前記第２画像には、閉じた第２線が表されており、
前記第１画像では、前記第１線の内側の第１領域の縦横比が１と異なるか、または、前記第１領域の中央が前記第１画像の中央に位置しておらず、
前記第２画像では、前記第２線の内側の第２領域の縦横比が１であり、かつ、前記第２領域の中央が前記第２画像の中央に位置しており、
前記画像生成部は、前記第１領域と前記傾き検出部の検出結果に基づいて前記第１画像を回転させるか否かを決定し、前記第２領域に基づいて前記第２画像を回転させるか否かを決定することを特徴とする請求項１に記載の表示装置。
【請求項５】
前記第１画像には、閉じた第１線が表されており、
前記第３画像では、前記第５画像のうち前記閉じた第１線の内側の第１領域と重畳された部分と、前記第５画像のうち前記閉じた第１線の外側の第３領域と重畳された部分と、のうち一方がマスキングされ、他方が維持され、
前記画像生成部は、前記第３画像を生成する場合に、前記表示装置が傾いている時には前記第５画像に前記第１領域のみを回転させて重畳させることを特徴とする請求項１から３のいずれか１項に記載の表示装置。
【請求項６】
前記第５画像情報には、前記第５画像の向きに関する第３情報が付加されており、
前記画像生成部は、前記第３情報と前記傾き検出部の検出結果に基づいて前記第５画像を回転させるか否かを決定することを特徴とする請求項１から５のいずれか１項に記載の表示装置。
【請求項７】
前記第３情報を前記第５画像情報に付加する第２付加部をさらに含むことを特徴とする請求項６に記載の表示装置。
【請求項８】
前記画像生成部は、
前記第３情報が前記第５画像に向きが無い旨の第４情報であるときに前記第３画像を生成する場合、前記表示装置が傾いていない時には回転していない前記第５画像に前記第１画像を回転させずに重畳させ、前記表示装置の傾きが傾いている時には回転していない前記第５画像に前記第１画像の少なくとも一部を回転させて重畳させ、
前記第３情報が前記第４情報であるときに前記第４画像を生成する場合、前記表示装置の傾きに関わらず、回転していない前記第５画像に前記第２画像を回転させずに重畳させることを特徴とする請求項６または７に記載の表示装置。
【請求項９】
前記画像生成部は、
前記第３情報が前記第５画像に向きがある旨の第５情報であるときに前記第３画像を生成する場合、前記表示装置が傾いていない時には回転していない前記第５画像に前記第１画像を回転させずに重畳させ、前記表示装置が傾いている時には回転させた前記第５画像に前記第１画像の少なくとも一部を回転させて重畳させ、
前記第３情報が前記第５情報であるときに前記第４画像を生成する場合、前記表示装置が傾いていない時には回転していない前記第５画像に前記第２画像を回転させずに重畳させ、前記表示装置が傾いている時には回転させた前記第５画像に前記第２画像の少なくとも一部を回転させて重畳させることを特徴とする請求項８に記載の表示装置。
【請求項１０】
第１画像に応じた第１画像情報と第２画像に応じた第２画像情報を記憶する記憶部を含む表示装置の制御方法であって、
前記表示装置の傾きを検出するステップと、
第５画像情報に基づく第５画像に前記第１画像を重畳させて第３画像を生成する場合、前記表示装置が傾いていない時には前記第５画像に前記第１画像を回転させずに重畳させ、前記表示装置が傾いている時には前記第５画像に前記第１画像の少なくとも一部を回転させて重畳させるステップと、
前記第５画像に前記第２画像を重畳させて第４画像を生成する場合、前記表示装置の傾きに関わらず、前記第５画像に前記第２画像を回転させずに重畳させるステップと、を含むことを特徴とする表示装置の制御方法。
【発明の詳細な説明】
【技術分野】
【０００１】
本発明は、表示装置およびその制御方法に関する。
【背景技術】
【０００２】
近年、横長画像と縦長画像とを切り換えて投射可能な画像表示装置が知られている（特許文献１参照）。このような画像表示装置は、画像表示装置の姿勢（傾き）に応じて、つまり、投射画像の傾きに応じて、横長画像と縦長画像とを切り換えて投射する。
【先行技術文献】
【特許文献】
【０００３】
【特許文献１】特開２０１３−８３６９０号公報
【発明の概要】
【発明が解決しようとする課題】
【０００４】
ところで、画像と重畳された際に、画像の一部をマスキングするマスキング領域と、画像の残りの部分を維持（透過）する透過領域と、を有するフィルター画像（以下「映像演出フィルター」と称する）を用いて、画像に演出効果を与えることが考えられる。
【０００５】
映像演出フィルターには、投射画像等の表示画像の向き（横長や縦長）に応じて向きを変えないと、つまり、画像表示装置の姿勢に応じて向きを変えないと、画像に対する演出効果を損なってしなうものと、向きを変えない方が演出効果を損なわないものがある。
【０００６】
例えば、マスキング領域に「時計」の画像が存在する映像演出フィルターでは、表示画像が横長の場合と縦長の場合とで表示画像内での「時計」の画像の向きを変えないと、時計が傾いて表示される状況が発生し、時計を表示するという演出効果が損なわれる。
なお、表示画像の向き（表示装置の姿勢）に応じて向きを変えないと演出効果を損なってしまう映像演出フィルターは、マスキング領域に「時計」の画像が存在する映像演出フィルターに限らない。
【０００７】
一方、例えば、マスキング領域が単色で、透過領域の中央が映像演出フィルターの中央に位置し、透過領域が円形の映像演出フィルターを、縦長となった表示画像内で向きを変更して横長で表示する場合、映像演出フィルターを表示画像に収めるために縮小する必要が生じる。この場合、映像演出フィルターの透過領域も縮小され、演出効果が損なわれてしまう。なお、この映像演出フィルターの透過領域は、この映像演出フィルターの向きの変更による影響を受けないため、この映像演出フィルターを縦長となった表示画像内で向きを変更せずに縦長で表示する場合、映像演出フィルターの透過領域は縮小されず、演出効果は損なわれない。
なお、投射画像等の表示画像の向きに応じて向きを変えない方が演出効果を損なわない映像演出フィルターは、上述した映像演出フィルターに限らない。
【０００８】
このように、表示装置の姿勢（傾き）に応じて映像演出フィルターの表示の向きを一律に変えると、表示画像に対する演出効果が損なわれてしまう場合がある。
【０００９】
本発明は上述した事情に鑑みてなされたものであり、映像演出フィルターとして機能する画像の与える演出効果が損なわれることを抑制可能な技術を提供することを解決課題とする。
【課題を解決するための手段】
【００１０】
本発明に係る表示装置の一態様は、表示装置であって、前記表示装置の傾きを検出する傾き検出部と、第１画像に応じた第１画像情報と第２画像に応じた第２画像情報を記憶する記憶部と、前記第１画像を用いて第３画像を生成し、前記第２画像を用いて第４画像を生成する画像生成部と、を含み、前記画像生成部は、第５画像情報に基づく第５画像に前記第１画像を重畳させて前記第３画像を生成する場合、前記表示装置が傾いていない時には前記第５画像に前記第１画像を回転させずに重畳させ、前記表示装置が傾いている時には前記第５画像に前記第１画像の少なくとも一部を回転させて重畳させ、前記第５画像に前記第２画像を重畳させて前記第４画像を生成する場合、前記表示装置の傾きに関わらず、前記第５画像に前記第２画像を回転させずに重畳させることを特徴とする。
この態様によれば、第１画像と第２画像とで、表示装置の傾きに応じて回転させるか否かの態様が異なる。このため、例えば、表示装置が傾いても、第１画像に応じた映像効果を第５画像に与えることができ、第２画像に応じた映像効果を第５画像に与えることが可能になる。よって、第１画像や第２画像に応じた映像効果が損なわれることを抑制可能になる。
【００１１】
上述した表示装置の一態様において、前記第１画像情報には、前記第１画像に向きがある旨の第１情報が付加されており、前記第２画像情報には、前記第２画像に向きがない旨の第２情報が付加されており、前記画像生成部は、前記第１情報と前記傾き検出部の検出結果に基づいて前記第１画像を回転させるか否かを決定し、前記第２情報に基づいて前記第２画像を回転させるか否かを決定することが望ましい。
この態様によれば、第１情報を用いることで、第１画像に応じた映像効果を第５画像に与えることができ、また、第２情報を用いることで、第２画像に応じた映像効果を第５画像に与えることが可能になる。
【００１２】
上述した表示装置の一態様において、前記第１情報を前記第１画像情報に付加し、前記第２情報を前記第２画像情報に付加する第１付加部をさらに含むことが望ましい。
この態様によれば、第１画像情報に第１情報が付加されていなくても、第１画像情報に第１情報を付加でき、第２画像情報に第２画像が付加されていなくても、第２画像情報に第２情報を付加することが可能になる。
【００１３】
上述した表示装置の一態様において、前記第１画像には、閉じた第１線が表されており、前記第２画像には、閉じた第２線が表されており、前記第１画像では、前記第１線の内側の第１領域の縦横比が１と異なるか、または、前記第１領域の中央が前記第１画像の中央に位置しておらず、前記第２画像では、前記第２線の内側の第２領域の縦横比が１であり、かつ、前記第２領域の中央が前記第２画像の中央に位置しており、前記画像生成部は、前記第１領域と前記傾き検出部の検出結果に基づいて前記第１画像を回転させるか否かを決定し、前記第２領域に基づいて前記第２画像を回転させるか否かを決定することが望ましい。
この態様によれば、第１画像情報に第１情報が付加されていなくても、第１画像を回転させるか否かを決定でき、第２画像情報に第２情報が付加されていなくても、第２画像を回転させるか否かを決定することが可能になる。
【００１４】
上述した表示装置の一態様において、前記第１画像には、閉じた第１線が表されており、前記第３画像では、前記第５画像のうち前記閉じた第１線の内側の第１領域と重畳された部分と、前記第５画像のうち前記閉じた第１線の外側の第３領域と重畳された部分と、のうち一方がマスキングされ、他方が維持され、前記画像生成部は、前記第３画像を生成する場合に、前記表示装置が傾いている時には前記第５画像に前記第１領域のみを回転させて重畳させることが望ましい。
この態様によれば、第１画像全体を回転させた上で第１画像を第５画像に収まるように縮小する場合に比べて、第１領域の縮小を抑制可能になる。
【００１５】
上述した表示装置の一態様において、前記第５画像情報には、前記第５画像の向きに関する第３情報が付加されており、前記画像生成部は、前記第３情報と前記傾き検出部の検出結果に基づいて前記第５画像を回転させるか否かを決定することが望ましい。
この態様によれば、第５画像の回転の要否を決定することが可能になる。
【００１６】
上述した表示装置の一態様において、前記第３情報を前記第５画像情報に付加する第２付加部をさらに含むことが望ましい。
この態様によれば、第５画像情報に第３情報が付加されていなくても、第５画像情報に第３情報を付加することが可能になる。
【００１７】
上述した表示装置の一態様において、前記画像生成部は、前記第３情報が前記第５画像に向きが無い旨の第４情報であるときに前記第３画像を生成する場合、前記表示装置が傾いていない時には回転していない前記第５画像に前記第１画像を回転させずに重畳させ、前記表示装置の傾きが傾いている時には回転していない前記第５画像に前記第１画像の少なくとも一部を回転させて重畳させ、前記第３情報が前記第４情報であるときに前記第４画像を生成する場合、前記表示装置の傾きに関わらず、回転していない前記第５画像に前記第２画像を回転させずに重畳させることが望ましい。
この態様によれば、第５画像に向きが無い場合、第１画像と第２画像とで、表示装置の傾きに応じて回転させるか否かの態様が異なる。このため、例えば、表示装置が傾いても、第１画像に応じた映像効果を第５画像に与えることができ、第２画像に応じた映像効果を第５画像に与えることが可能になる。よって、第１画像や第２画像に応じた映像効果が損なわれることを抑制可能になる。
【００１８】
上述した表示装置の一態様において、前記画像生成部は、前記第３情報が前記第５画像に向きがある旨の第５情報であるときに前記第３画像を生成する場合、前記表示装置が傾いていない時には回転していない前記第５画像に前記第１画像を回転させずに重畳させ、前記表示装置が傾いている時には回転させた前記第５画像に前記第１画像の少なくとも一部を回転させて重畳させ、前記第３情報が前記第５情報であるときに前記第４画像を生成する場合、前記表示装置が傾いていない時には回転していない前記第５画像に前記第２画像を回転させずに重畳させ、前記表示装置が傾いている時には回転させた前記第５画像に前記第２画像の少なくとも一部を回転させて重畳させることが望ましい。
この態様によれば、第５画像に向きがある場合には、第１画像と第２画像は、第５画像とともに表示装置の傾きに応じて回転可能になる。
【００１９】
本発明に係る表示装置の制御方法の一態様は、第１画像に応じた第１画像情報と第２画像に応じた第２画像情報を記憶する記憶部を含む表示装置の制御方法であって、前記表示装置の傾きを検出するステップと、第５画像情報に基づく第５画像に前記第１画像を重畳させて第３画像を生成する場合、前記表示装置が傾いていない時には前記第５画像に前記第１画像を回転させずに重畳させ、前記表示装置が傾いている時には前記第５画像に前記第１画像の少なくとも一部を回転させて重畳させるステップと、前記第５画像に前記第２画像を重畳させて第４画像を生成する場合、前記表示装置の傾きに関わらず、前記第５画像に前記第２画像を回転させずに重畳させるステップと、を含むことを特徴とする。
この態様によれば、例えば、表示装置が傾いても、第１画像に応じた映像効果を第５画像に与えることができ、第２画像に応じた映像効果を第５画像に与えることが可能になる。よって、第１画像や第２画像に応じた映像効果が損なわれることを抑制可能になる。
【図面の簡単な説明】
【００２０】
【図１】第１実施形態に係るプロジェクター１を模式的に示した図である。
【図２】映像演出フィルターと処理対象画像と表示画像の例を示した図である。
【図３】傾き検出部４の一例を示した図である。
【図４】映像演出フィルターの生成の例を示した図である。
【図５】表示向き情報Ｊ１と表示向き情報Ｊ２との一例を示した図である。
【図６】映像演出フィルターの向きに応じた表示画像の例を示した図である。
【図７】表示向き情報Ｊ３と表示向き情報Ｊ４との一例を示した図である。
【図８】投射部７の一例を示した図である。
【図９】表示画像を生成して投射する動作を説明するためのフローチャートである。
【図１０】入力画像と演出フィルターと表示画像の例を示した図である。
【図１１】映像演出フィルターと判定情報の例を示した図である。
【図１２】変形例２で生成した表示画像を示した図である。
【発明を実施するための形態】
【００２１】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００２２】
＜第１実施形態＞
図１は、第１実施形態に係る表示装置の一例であるプロジェクター１を模式的に示した図である。プロジェクター１は、映像演出フィルターを用いて処理対象画像を処理して表示画像を生成する。映像演出フィルターは、処理対象画像と重畳された際に処理対象画像の一部をマスキングするフィルター画像である。
【００２３】
図２は、映像演出フィルターＡ１およびＡ２と、処理対象画像Ｂ１と、表示画像Ｃ１およびＣ２の例を示した図である。なお、表示画像Ｃ１およびＣ２は、プロジェクター１が傾いていないときに生成される。
映像演出フィルターＡ１は、第２画像の一例である。映像演出フィルターＡ２は、第１画像の一例である。処理対象画像Ｂ１は、第５画像の一例である。表示画像Ｃ１は、第４画像の一例である。表示画像Ｃ２は、第３画像の一例である。
【００２４】
映像演出フィルターＡ１は、円形の透過領域（透明領域）Ｄ１と黒色のマスキング領域Ｅ１とを有する。映像演出フィルターＡ２は、円形のマスキング領域（時計表示領域）Ｄ２と透過領域（透明領域）Ｅ２とを有する。処理対象画像Ｂ１と映像演出フィルターＡ１が重畳されて表示画像Ｃ１が生成され、処理対象画像Ｂ１と映像演出フィルターＡ２が重畳されて表示画像Ｃ２が生成される。
【００２５】
表示画像Ｃ１では、透過領域Ｄ１と重畳された処理対象画像Ｂ１の画像部分Ｆ１と、黒色のマスキング領域Ｅ１の画像部分Ｆ２が示されている。一方、表示画像Ｃ２では、マスキング領域Ｄ２に示された時計の画像Ｇ１と、透過領域Ｅ２と重畳された処理対象画像Ｂ１の画像部分Ｇ２が示されている。
【００２６】
図１に戻って、プロジェクター１は、入力受取部２と、画像受取部３と、傾き検出部４と、記憶部５と、制御部６と、投射部７と、を含む。
【００２７】
入力受取部２は、例えば、使用者から入力等を受け取る各種の操作ボタンや操作キー、タッチパネル等である。なお、入力受取部２は、使用者から受け取った入力を表す情報を無線または有線で送信するリモートコントローラー等であってもよい。その場合、プロジェクター１は、リモートコントローラーが送信した情報を受信する受信部を備える。なお、リモートコントローラーは、使用者から入力を受け取る各種の操作ボタンや操作キー、タッチパネル等を備える。
【００２８】
画像受取部３は、画像入力端子等を介して、画像を示す画像情報を受け取り、その画像情報を制御部６へ出力する。画像受取部３は、例えば、処理対象画像Ｂ１を示す処理対象画像情報Ｈ１や、映像演出フィルターＡ１を示すフィルター画像情報Ｉ１や、映像演出フィルターＡ２を示すフィルター画像情報Ｉ２を受け取る。処理対象画像情報Ｈ１は、第５画像情報の一例である。フィルター画像情報Ｉ１は、第２画像情報の一例である。フィルター画像情報Ｉ２は、第１画像情報の一例である。
【００２９】
傾き検出部４は、プロジェクター１の傾きを検出する。
図３は、傾き検出部４の一例を示した図である。プロジェクター１は、天井Ｚから角度調整機構付き部材８によって吊るされている。角度調整機構付き部材８は、軸Ｙを回転軸としてプロジェクター１をＳ方向やＴ方向に回転可能である。具体的には、角度調整機構付き部材８は、プロジェクター１の水平面に対する角度を調整可能である。
【００３０】
傾き検出部４は、角度調整機構付き部材８が調整した角度に基づいてプロジェクター１の傾きを検出する。例えば、傾き検出部４は、プロジェクター１の軸Ｙを中心とした基準位置からの回転量を角度調整機構付き部材８から受け取り、その回転量に基づいてプロジェクター１の基準面（例えば、水平面）に対する傾き（以下、単に「傾き」とも称する）を検出する。なお、傾き検出部４は、プロジェクター１の傾きを直接検出してもよい。傾き検出部４は、プロジェクター１の傾きを示す傾き情報を制御部６に出力する。
【００３１】
記憶部５は、コンピューター読み取り可能な記録媒体であり、例えばＨＤＤ（Hard Disk Drive）、ＵＳＢ（Universal Serial Bus）メモリー、ＳＤカード、ＲＡＭ（Random Access Memory）またはＲＯＭ（Read Only Memory）といった半導体メモリー等のいずれか、またはこれらの組合せであってもよい。記憶部５は、プロジェクター１が処理する各種の画像情報（例えば、処理対象画像情報Ｈ１、フィルター画像情報Ｉ１、フィルター画像情報Ｉ２）や、プログラム等を記憶する。例えば、記憶部５では、プログラムは半導体メモリーに記憶され、各種の画像情報はＵＳＢメモリーやＳＤカードに記憶される。
【００３２】
制御部６は、ＣＰＵ（Central Processing Unit）等のコンピューターである。制御部６は、記憶部５に記憶されたプログラムを読み取り実行することによって、記憶制御部６１と、生成部６２と、付加部６３と、画像生成部６４とを実現する。記憶制御部６１と生成部６２と付加部６３と画像生成部６４の全部または一部は、不図示のＦＰＧＡ（Field Programmable Gate Array）等のハードウェアで構成されてもよい。
【００３３】
記憶制御部６１は、画像受取部３が受け取った画像情報を記憶部５（例えば、ＵＳＢメモリーやＳＤカード）に記憶する。なお、ＵＳＢメモリーやＳＤカードには、事前にＰＣ（パーソナルコンピューター）等の情報処理装置において種々の画像情報が記憶されてもよい。
【００３４】
生成部６２は、入力受取部２が受け取った入力に応じて、フィルター画像情報を生成する。例えば、生成部６２は、図４に示すように、入力受取部２が受け取った入力に応じて、映像演出フィルターの元になる矩形の画像Ｖ上に、閉じた線Ｗにて形成される図形（例えば、四角形、三角形、円形、星形）Ｕを生成する。
【００３５】
そして、生成部６２は、入力受取部２が受け取った入力に応じて、例えば、閉じた線Ｗの内側の領域Ｕ１を透過領域とし、閉じた線Ｗの外側の領域Ｕ２をマスキング領域（黒色等の単色の領域）とすることで、映像演出フィルターＡ４を生成する。なお、生成部６２は、入力受取部２が受け取った入力に応じて、閉じた線Ｗの内側の領域Ｕ１をマスキング領域（例えば、時計等の画像を示す領域）とし、閉じた線Ｗの外側の領域Ｕ２を透過領域とすることで、映像演出フィルターＡ４を生成してもよい。
【００３６】
ここで、映像演出フィルターＡ４に向きがある場合には、閉じた線Ｗは第１線の一例となり、領域Ｕ１は第１領域の一例となり、領域Ｕ２は第３領域の一例となる。一方、映像演出フィルターＡ４に向きがない場合には、閉じた線Ｗは第２線の一例となり、領域Ｕ１は第２領域の一例となる。
【００３７】
生成部６２は、映像演出フィルターＡ４を示すフィルター画像情報を生成し、生成したフィルター画像情報を記憶部５（例えば、ＵＳＢメモリーやＳＤカード）に記憶する。
【００３８】
付加部６３は、第１付加部および第２付加部の一例である。付加部６３は、使用者による入力受取部２の操作に応じて、記憶部５に記憶されているフィルター画像情報や処理対象画像情報に、表示向きに関する表示向き情報を付加する。
【００３９】
図５は、フィルター画像情報Ｉ１の表示向き情報Ｊ１と、フィルター画像情報Ｉ２の表示向き情報Ｊ２との一例を示した図である。
【００４０】
フィルター画像情報Ｉ１が示す映像演出フィルターＡ１は、透過領域Ｄ１の中央が映像演出フィルターＡ１の中央に位置し、透過領域Ｄ１が円形であり、マスキング領域Ｅ１が単色であるため、表示の向きを変えない方が、演出効果は損なわれない。
例えば、図６に示したように、映像演出フィルターＡ１を、縦長となった表示画像Ｋ１内で向きを変更して横長で表示する場合、映像演出フィルターＡ１を表示画像Ｋ１内に収めるために縮小する必要が生じる。この場合、映像演出フィルターＡ１の透過領域Ｄ１も縮小され、演出効果が損なわれてしまう。
なお、映像演出フィルターＡ１を、縦長となった表示画像Ｋ１内で向きを変更せずに縦長で表示しても、透過領域Ｄ１は、円形であるため、映像演出フィルターＡ１の向きの変更による影響を受けず、また、縮小されない。よって、演出効果は損なわれない。
このため、使用者は、入力受取部２を操作して、表示向き情報Ｊ１として、映像演出フィルターＡ１に向きがない旨の「表示向きなし」の情報を入力する。入力受取部２は、この入力を付加部６３に出力する。付加部６３は、この入力に従って、映像演出フィルターＡ１に向きがない旨の「表示向きなし」の情報を、表示向き情報Ｊ１として、フィルター画像情報Ｉ１に付加する。表示向き情報Ｊ１は、第２情報の一例である。
【００４１】
一方、フィルター画像情報Ｉ２が示す映像演出フィルターＡ２は、マスキング領域Ｄ２において表示の向きがある時計を表示する。
このため、使用者は、入力受取部２を操作して、表示向き情報Ｊ２として、映像演出フィルターＡ２に向きがある旨の「表示向きあり」の情報を入力する。入力受取部２は、この入力を付加部６３に出力する。付加部６３は、この入力に従って、映像演出フィルターＡ２に向きがある旨の「表示向きあり」の情報を、表示向き情報Ｊ２として、フィルター画像情報Ｉ２に付加する。表示向き情報Ｊ２は、第１情報の一例である。
【００４２】
図７は、処理対象画像情報Ｈ１の表示向き情報Ｊ３と、処理対象画像情報Ｈ２の表示向き情報Ｊ４との一例を示した図である。
【００４３】
処理対象画像情報Ｈ１が示す処理対象画像Ｂ１は、単なる水玉模様を示した画像であり、表示の向きに意味がない。
このため、使用者は、入力受取部２を操作して、表示向き情報Ｊ３として、処理対象画像Ｂ１に向きがない旨の「表示向きなし」の情報を入力する。入力受取部２は、この入力を付加部６３に出力する。付加部６３は、この入力に従って、処理対象画像Ｂ１に向きがない旨の「表示向きなし」の情報を、表示向き情報Ｊ３として、処理対象画像情報Ｈ１に付加する。表示向き情報Ｊ３は、第３情報および第４情報の一例である。
【００４４】
処理対象画像情報Ｈ２が示す処理対象画像Ｂ２は、水中の魚等を示した画像であり、表示の向きに意味がある。
このため、使用者は、入力受取部２を操作して、表示向き情報Ｊ４として、処理対象画像Ｂ２に向きがある旨の「表示向きあり」の情報を入力する。入力受取部２は、この入力を付加部６３に出力する。付加部６３は、この入力に従って、処理対象画像Ｂ２に向きがある旨の「表示向きあり」の情報を、表示向き情報Ｊ４として、処理対象画像情報Ｈ２に付加する。表示向き情報Ｊ４は、第３情報および第５情報の一例である。
【００４５】
なお、処理対象画像情報Ｈ１やＨ２、フィルター画像情報Ｉ１やＩ２に、表示向きの有無を示す情報（例えば、Exif情報）が予め付加されている場合、使用者は、入力受取部２を操作して、それらの画像に表示向き情報を付加しなくてもよい。なお、使用者は、予め付加されている表示向きの有無を示す情報を変更したい場合には、入力受取部２を操作して表示向き情報を付加してもよい。
【００４６】
図１に戻って、画像生成部６４は、傾き検出部４の検出結果（傾き情報）と、処理対象画像Ｂ（Ｂ１またはＢ２）と、映像演出フィルターＡ（Ａ１またはＡ２）と、に基づいて、処理対象画像Ｂと映像演出フィルターＡとの重畳処理を実行する。画像生成部６４は、処理対象画像Ｂと映像演出フィルターＡとを重畳することによって表示画像を生成する。
【００４７】
画像生成部６４は、処理対象画像情報Ｈ（Ｈ１またはＨ２）の表示向き情報と、傾き情報とに基づいて、処理対象画像Ｂを回転させるか否かを決定する。また、画像生成部６４は、映像演出フィルターＡ１の表示向き情報に基づいて、映像演出フィルターＡ１を回転させるか否かを決定する。また、画像生成部６４は、映像演出フィルターＡ２の表示向き情報と、傾き情報とに基づいて、映像演出フィルターＡ２を回転させるか否かを決定する。
画像生成部６４は、表示画像を表す表示画像情報を投射部７に出力する。
【００４８】
投射部７は、画像生成部６４が生成した表示画像をスクリーンＳＣ等の投射面に投射して表示する。投射部７は表示部の一例であり、投射面は表示面の一例である。
図８は、投射部７の一例を示した図である。投射部７は、光源１１、光変調装置の一例である３つの液晶ライトバルブ１２（１２Ｒ，１２Ｇ，１２Ｂ）、投射光学系の一例である投射レンズ１３、ライトバルブ駆動部１４等を含んで構成されている。投射部７は、光源１１から射出された光を液晶ライトバルブ１２で変調して表示画像（画像光）を形成し、この表示画像を投射レンズ１３から拡大投射する。
【００４９】
光源１１は、キセノンランプ、超高圧水銀ランプ、ＬＥＤ（Light Emitting Diode）、またはレーザー光源等からなる光源部１１ａと、光源部１１ａが放射した光の方向のばらつきを低減するリフレクター１１ｂとを含んで構成されている。光源１１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１２Ｒ，１２Ｇ，１２Ｂに入射する。
【００５０】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されており、液晶に対して画素１２ｐごとに駆動電圧を印加可能である。ライトバルブ駆動部１４が、画像生成部６４から入力される表示画像情報に応じた駆動電圧を各画素１２ｐに印加すると、各画素１２ｐは、表示画像情報に応じた光透過率に設定される。このため、光源１１から射出された光は、画素領域１２ａを透過することで変調され、表示画像情報に応じた画像が色光ごとに形成される。
【００５１】
各色の画像は、図示しない色合成光学系によって画素１２ｐごとに合成され、カラー画像（カラー画像光）である表示画像が生成される。表示画像は、投射レンズ１３によってスクリーンＳＣ等の投射面に拡大投射される。
【００５２】
次に、動作を説明する。
図９は、表示画像を生成して投射する動作を説明するためのフローチャートである。記憶部５には、図５に示すような表示向き情報が付加されたフィルター画像情報と、図７に示すような表示向き情報が付加された処理対象画像情報が記憶されているとする。
【００５３】
まず、使用者は、入力受取部２を操作して、記憶部５に記憶されている処理対象画像Ｂ１およびＢ２と映像演出フィルターＡ１およびＡ２の中から、表示画像を生成するために使用する処理対象画像Ｂおよび映像演出フィルターＡを選択する。入力受取部２は、使用者の選択結果を画像生成部６４に出力する。
【００５４】
画像生成部６４は、使用者の選択結果を受け取ると、まず、傾き検出部４から傾き情報を取得する（ステップＳ１０１）。
【００５５】
続いて、画像生成部６４は、傾き情報が示すプロジェクター１の傾きに基づいて、画像の回転角度を算出する（ステップＳ１０２）。ステップＳ１０２では、画像生成部６４は、プロジェクター１の傾きを相殺する回転角度を、画像の回転角度として算出する。例えば、プロジェクター１が軸Ｙを中心に反時計回りに１５°だけ回転している場合、画像生成部６４は、画像の回転角度として、軸Ｙを中心に時計回りに１５°だけ回転する回転角度を算出する。
【００５６】
続いて、画像生成部６４は、使用者の選択結果に従って、記憶部５から処理対象画像情報Ｈおよびフィルター画像情報Ｉを読み取る（ステップＳ１０３）。このとき、画像生成部６４は、処理対象画像情報Ｈに付加されている表示向き情報も読み取り、フィルター画像情報Ｉに付加されている表示向き情報も読み取る。
以下、ステップＳ１０３で読み取られた処理対象画像情報Ｈに付加されている表示向き情報を「第１表示向き情報」と称し、ステップＳ１０３で読み取られたフィルター画像情報Ｉに付加されている表示向き情報を「第２表示向き情報」と称する。また、ステップＳ１０３で読み取られた処理対象画像情報Ｈが示す処理対象画像Ｂを「入力画像」と称し、ステップＳ１０３で読み取られたフィルター画像情報Ｉが示す映像演出フィルターＡを「演出フィルター」と称する。
【００５７】
続いて、画像生成部６４は、第１表示向き情報が「表示向きあり」であるか否かを判断する（ステップＳ１０４）。
第１表示向き情報が「表示向きあり」である場合（ステップＳ１０４：ＹＥＳ）、画像生成部６４は、入力画像と演出フィルターとを画像の回転角度だけ共に回転させた上で重畳させて表示画像を生成する（ステップＳ１０５）。
【００５８】
一方、第１表示向き情報が「表示向きなし」である場合（ステップＳ１０４：ＮＯ）、画像生成部６４は、第２表示向き情報が「表示向きあり」であるか否かを判断する（ステップＳ１０６）。
【００５９】
第２表示向き情報が「表示向きあり」である場合（ステップＳ１０６：ＹＥＳ）、画像生成部６４は、回転していない入力画像に、演出フィルターを画像の回転角度だけ回転させた上で重畳させて表示画像を生成する（ステップＳ１０７）。
【００６０】
一方、第２表示向き情報が「表示向きなし」である場合（ステップＳ１０６：ＮＯ）、画像生成部６４は、入力画像と演出フィルターとを共に回転させることなく重畳させて表示画像を生成する（ステップＳ１０８）。
【００６１】
図１０は、入力画像と演出フィルターと表示画像の例を示した図である。図１０において、演出フィルターＡ３には「表示向きあり」の表示向き情報が付加されている。表示画像Ｃ２、Ｃ３、Ｃ５、Ｃ６、Ｃ８およびＣ９は第３画像の一例である。表示画像Ｃ１、Ｃ４およびＣ７は第４画像の一例である。
【００６２】
本実施形態によれば、画像生成部６４は、処理対象画像Ｂ１に映像演出フィルターＡ２を重畳させて表示画像を生成する場合、プロジェクター１が傾いていない時には処理対象画像Ｂ１に映像演出フィルターＡ２を回転させずに重畳させ、プロジェクター１が傾いている時には処理対象画像Ｂ１に映像演出フィルターＡ２を回転させて重畳させる。
また、画像生成部６４は、処理対象画像Ｂ１に映像演出フィルターＡ１を重畳させて表示画像を生成する場合、プロジェクター１の傾きに関わらず、処理対象画像Ｂ１に映像演出フィルターＡ１を回転させずに重畳させる。
このため、表示向きのある映像演出フィルターＡ２と表示向きのない映像演出フィルターＡ１とで、プロジェクター１の傾きに応じて回転させるか否かの態様が異なる。したがって、例えば、プロジェクター１が傾いても、映像演出フィルターＡ２に応じた映像効果を与えることができ、かつ、映像演出フィルターＡ１に応じた映像効果を与えることが可能になる。よって、映像演出フィルターＡ１やＡ２に応じた映像効果が損なわれることを抑制可能になる。
【００６３】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００６４】
＜変形例１＞
画像生成部６４は、生成部６２が生成した映像演出フィルターＡ４（図４参照）に表された閉じた線Ｗの内側の領域Ｕ１に基づいて、映像演出フィルターＡ４に付加された表示向き情報の代わりになる情報（以下「判定情報」と称する）を生成してもよい。
【００６５】
例えば、画像生成部６４は、ステップＳ１０６の代わりに、以下の処理を実行する。
画像生成部６４は、ステップＳ１０３で読み取ったフィルター画像情報Ｉが示す映像演出フィルターＡ（図４参照）において、領域Ｕ１が透過領域であり、かつ、領域Ｕ１の縦横比が１であり、かつ、領域Ｕ１の中央が映像演出フィルターＡの中央に位置している場合、判定情報として、映像演出フィルターＡの表示向き「なし」を生成する。画像生成部６４は、この判定情報（映像演出フィルターＡの表示向き「なし」）を、「表示向きなし」の表示向き情報の代わりに用いる。
また、画像生成部６４は、当該映像演出フィルターＡにおいて、領域Ｕ１がマスキング領域であるか、または、領域Ｕ１の縦横比が１と異なるか、または、領域Ｕ１の中央が映像演出フィルターＡの中央に位置していない場合、判定情報として、映像演出フィルターＡの表示向き「あり」を生成する。画像生成部６４は、この判定情報（映像演出フィルターＡの表示向き「あり」）を、「表示向きあり」の表示向き情報の代わりに用いる。
【００６６】
図１１は、映像演出フィルターと判定情報の例を示した図である。なお、図１１に示した映像演出フィルターＡ１およびＡ４〜Ａ１１のうち、映像演出フィルターＡ８およびＡ１１については、映像演出フィルターＡ８およびＡ１１が傾いているため、画像生成部６４は、上となる辺を判断できない。このため、画像生成部６４は、上となる辺の確認を使用者に促す確認画像を投射部７に投射させる。使用者は、確認画像に従い、入力受取部２を操作して上となる辺を示す情報を入力する。画像生成部６４は、この情報に従って上となる辺を特定する。
変形例１によれば、表示向き情報を省略することができる。
【００６７】
＜変形例２＞
画像生成部６４は、表示向きのある映像演出フィルター（例えば、映像演出フィルターＡ２）を回転させて処理対象画像Ｂ１に重畳させる場合、その映像演出フィルター上の閉じた線の内側の領域（例えば、映像演出フィルターＡ２のマスキング領域Ｄ２）のみを回転させて処理対象画像に重畳させてもよい。
例えば、画像生成部６４は、表示向きのある映像演出フィルターのフィルター画像情報を解析し、映像演出フィルター上の閉じた線の内側の領域を特定する。続いて、画像生成部６４は、映像演出フィルター上の閉じた線の内側の領域のみを回転させて処理対象画像に重畳させる。
図１２は、映像演出フィルターＡ２のうちマスキング領域（時計表示領域）Ｄ２のみを回転させて処理対象画像Ｂ１に重畳させた表示画像を示した図である。
変形例２によれば、映像演出フィルターＡ２を処理対象画像Ｂ１に収まるように縮小して重畳する場合（図１０の表示画像Ｃ５参照）に比べて、マスキング領域（時計表示領域）Ｄ２の縮小を抑制可能になる。
【００６８】
＜変形例３＞
表示面は、スクリーンＳＣに限らず適宜変更可能である。例えば、表示面は、壁またはテーブルの上面、照明演出が施される物品の平面でもよい。
【００６９】
＜変形例４＞
プロジェクター１は、天井Ｚに設置されずに、例えば、テーブルや壁などに設置されてもよい。
【００７０】
＜変形例５＞
投射部７では、光変調装置として液晶ライトバルブが用いられたが、光変調装置は液晶ライトバルブに限らず適宜変更可能である。例えば、光変調装置として、３枚の反射型の液晶パネルを用いた構成であってもよい。また、光変調装置は、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００７１】
＜変形例６＞
表示装置としてプロジェクターが用いられたが、表示装置はプロジェクターに限らず適宜変更可能である。例えば、表示装置は、直視型のディスプレイ（液晶ディスプレイ、有機ＥＬ（Electro Luminescence）ディスプレイ、プラズマディスプレイ、ＣＲＴ（陰極線管）ディスプレイ等）であってもよい。この場合、投射部７の代わりに、直視型の表示部が用いられる。
【符号の説明】
【００７２】
１…プロジェクター、２…入力受取部、３…画像受取部、４…傾き検出部、５…記憶部、６…制御部、６１…記憶制御部、６２…生成部、６３…付加部、６４…画像生成部、７…投射部、ＳＣ…スクリーン。
【図１】
2018120154.tif 000003
【図２】
2018120154.tif 000004
【図３】
2018120154.tif 000005
【図４】
2018120154.tif 000006
【図５】
2018120154.tif 000007
【図６】
2018120154.tif 000008
【図７】
2018120154.tif 000009
【図８】
2018120154.tif 000010
【図９】
2018120154.tif 000011
【図１０】
2018120154.tif 000012
【図１１】
2018120154.tif 000013
【図１２】
2018120154.tif 000014